(57)【要約】  【課題】  ケーブルを案内材として利用して管路内の先導駒の円滑な移動を図れる、管路のケーブル牽引ロープ挿通用先導具を提供する。  【解決手段】  管路ｐを通じて布設したケーブルｃの軸線に沿う一半ずつを遊嵌して組付けねじ１０で互いに締付ける駒主体６と挟持片７で先導駒２を構成する。そして、先導駒２の駒主体６を、前記ケーブルｃの軸線に沿わせて前記管路ｐ内に押し込む剛性杆の先端に組付ける。【選択図】    図１
2008252963.tif 000002
【特許請求の範囲】
【請求項１】
管路を通じて布設したケーブルの軸線に沿う一半ずつを遊嵌して組付けねじ等で互いに組合せる駒主体と挟持片とで先導駒を構成し、該先導駒の前記駒主体を、前記ケーブルの軸線に沿わせて前記管路内に押し込む剛性杆の先端に組付けた、管路のケーブル牽引ロープ挿通用先導具。
【請求項２】
駒主体にナット材を回動自在に取付け、該ナット材に剛性杆の先端に設けた雄ねじ材を螺合した、請求項１記載の管路のケーブル牽引ロープ挿通用先導具。
【発明の詳細な説明】
【技術分野】
【０００１】
本発明は、既にケーブルが布設されている管路に光ファイバーケーブル等のケーブルを新たに増設する際に、新たなケーブルを前記管路内を移動させるケーブル牽引ロープを、管路の一端開口部から他の一端開口部まで通すために用いる、管路のケーブル牽引ロープ挿通用先導具に関するものである。
【背景技術】
【０００２】
上面が管路と略同じ曲率を有し下面が管路に布設されたケーブルの外径と略同じ曲率を有する面で形成された板状体の両側に、後方に拡開するように延びた案内ばねを取付けて構成して、押出し工具のロッドの先端に取付けて用いるようにした構造のものがある（例えば、特許文献１）。
【０００３】
概し、管路と該管路内に布設したケーブルとの間に介在させるようにして管路の一端側から他の一端側へとロッドで押し込み移動させる構成を採るものは、ロッドによって押圧されて管路内を前進するだけなので、方向性が定まらず、従って、管路とケーブルとの間に挟まり前進ができなくなる虞がある。
【０００４】
このため、前記の従来例は、板状体に案内ばねを設けた形態を採用して案内ばねが管路や布設済のケーブルに接触するようにして板状体が管路内の管路内の広い空間域に移動するようにして先導具としての円滑な移動を図るようにしている。
【０００５】
【特許文献１】特開平９−９３７４０号公報
【発明の開示】
【発明が解決しようとする課題】
【０００６】
前記ばねを用いた構造のものは、管路内が該ばねが管路やケーブルに圧接して移動するものであるから、管路等に損傷を与えることになり、ばねの圧接を利用するものであるからケーブルが布設された管路内が当該先導具の大きさに見合う空間域を備えていなければならず、従って、例えば、管路の内径の相異に見合うものを準備しなければならない等汎用性に欠ける。
【０００７】
本発明は、管路内の先導駒の移動に管路と既設のケーブル間の間隙を利用した前記従来例に代えてケーブルを案内材として利用して管路内における円滑な移動を期待できる先導具を提供することを目的として創案したものである。
【課題を解決するための手段】
【０００８】
管路を通じて布設したケーブルの軸線に沿う一半ずつを遊嵌して組付けねじ等で互いに組合せる駒主体と挟持片とで先導駒を構成し、該先導駒の前記駒主体を、前記ケーブルの軸線に沿わせて前記管路内に押し込む剛性杆の先端に組付けた構成とするのである。
【発明の効果】
【０００９】
本発明によれば、先導駒は既設のケーブルを内側に遊嵌させた構成を採るから、剛性杆によって押送することによって該先導駒を管路内を該ケーブルに案内させて自在に移動させることができ、先導駒はケーブルに組みつけられた状態でケーブルに沿って移動するものであるからマンホール等の管路間の中継個所があっても、それと無関係に管路間を連続的に移動させることができ、実用的である。
【００１０】
また、駒主体にナット材を回動自在に取付け、該ナット材に雄ねじ材を螺合して剛性杆の先端に先導駒を設けるものであるから、先導駒と剛性杆の組付けを簡単に行うことができる。
【実施例】
【００１１】
図面は本発明に係る管路のケーブル牽引ロープ挿通用先導具の一実施例を示し、図１は使用状態を示す説明図、図２は図１の拡大断面図、図３は背面図、図４は図１のａ−ａ線断面図、図５は図４のｂ−ｂ線断面図、図６はケーブルとの関係を示す説明図である。
【００１２】
本発明に係る、管路のケーブル牽引ロープ挿通用先導具は、剛性杆１の先端に先導駒２を組付けて構成したもので、剛性杆１はスチールワイヤーやグラスファイバー等で成り、基端側をリール３に取付けて該リール３に繰出し自在に巻付け、先端には前記先導駒２のナット材４を螺合して取付ける雄ねじ材５を設けたものである。
【００１３】
剛性杆１は通線ロッド或いは推進ワイヤー等といわれることがあるが、要は、管路外から押圧することによって管路の直線路や曲線路に変形追従して移動するものであれば良い。
【００１４】
前記先導駒２は、互いに別体の駒主体６と挟持片７を互いに組付けて構成するもので、駒主体６は厚肉のほぼ台形状の基部６ａに、管路ｐに挿通、敷設したケーブルｃの軸線に沿う一半を嵌合する円弧状部片６ｂを連設し、前記基部６ａに一対のねじ孔８，８を前記円弧状部片６ｂに嵌合するケーブルｃの軸線に沿わせて並べて設ける一方、基部６ａの前記剛性杆１側の後端面には前記ナット材４を回動自在に組付けてある。
【００１５】
ナット材４は袋ナット体で成り、その奥壁に設けた透孔９を通じた取付けねじ１０の先端を前記基部６ａに設けたねじ穴１１に螺合して前記の通り基部６ａに回動自在に取付けたものである。
【００１６】
そして、駒主体６は基部６ａに組付けたナット材４を剛性杆１の先端に設けた雄ねじ材５に螺合することにより剛性杆１の先端に取付けねじ１０を中心に回動自在に設けたものである。
【００１７】
この駒主体６に重ね合わせて組付ける前記挟持片７は、やや厚肉のほぼ台形輪郭形状の基部７ａに駒主体６と同様に円弧状部片７ｂを連設して構成し、基部７ａに主体６側の基部６ａに設けたねじ孔８，８と対応する位置にして挿通孔１２，１２を設けて構成したものである。
【００１８】
しかして、管路ｐに挿通、布設したケーブルｃに管路外、例えば、マンホールｍ中で、駒主体６と挟持片７間に当該ケーブルｃ部が介在するように重ね合わせ、挿通孔１２を通じて組付けねじ１３をねじ孔８に螺合、締め付けと、ケーブルｃに先導駒２は組付けられ、これと相前後してナット材４と雄ねじ材５の螺合関係によって該先導駒２を組付けた剛性杆１を押圧して先導駒２を管路ｐに送り込むと、先導駒２はケーブルｃに案内されて管路ｐ内を移動し、目的の個所に到達する。そして、目的個所に於いて、剛性杆１を手繰り寄せると、剛性杆１の端末に接続した牽引ロープ（図示省略）の先端は管路ｐを通じて当該目的個所までに移動し、次段の作業である牽引ロープの牽引により当該管路に新たなケーブルが布設されるのである。
【図面の簡単な説明】
【００１９】
【図１】使用状態を示す説明図。
【図２】図１の拡大断面図。
【図３】背面図。
【図４】図１のａ−ａ線断面図。
【図５】図４のｂ−ｂ線断面図。
【図６】ケーブルとの関係を示す説明図。
【符号の説明】
【００２０】
１      剛性杆
２      先導駒
６      駒主体
７      挟持片
１０    組付けねじ
ｃ      ケーブル
ｐ      管路
【図１】
2008252963.tif 000003
【図２】
2008252963.tif 000004
【図３】
2008252963.tif 000005
【図４】
2008252963.tif 000006
【図５】
2008252963.tif 000007
【図６】
2008252963.tif 000008